(57)【要約】【課題】  現場での作業性に優れ、取付けに手間が掛からない枠組足場用手摺枠を提供する。【解決手段】  両方の縦部分１２と、両方の縦部分１２間に位置される横部分１３とからなり、枠組足場に取付けられる枠組足場用手摺枠１１の一方の縦部分１２には、基部に縦部分１２を貫通させて取付けられる貫通孔３３が設けられる位置決金具３１と、  位置決金具３１の先端に取付けられ、枠組足場の横架材２２に係止されるフック４１と、を備えることを特徴とする枠組足場用手摺枠１１。【選択図】図１
2015151772.tif 000002
【特許請求の範囲】
【請求項１】
両方の縦部分と、両方の縦部分間に位置される横部分とからなり、枠組足場に取付けられる枠組足場用手摺枠の縦部分には、基部に縦部分を貫通させて取付けられる貫通孔が設けられる位置決金具と、
位置決金具の先端に取付けられ、枠組足場の横架材に係止されるフックと、
を備えることを特徴とする枠組足場用手摺枠。
【請求項２】
両方の縦部分と、両方の縦部分間に位置される横部分とからなり、枠組足場に取付けられる枠組足場用手摺枠の一方の縦部分には、基部に縦部分を貫通させて取付けられる貫通孔が設けられる位置決金具と、
位置決金具の先端に取付けられ、枠組足場の横架材に係止されるフックと、
を備えることを特徴とする枠組足場用手摺枠。
【請求項３】
両方の縦部分と、両方の縦部分間に位置される横部分とからなり、枠組足場に取付けられる枠組足場用手摺枠の一方の縦部分には、基部に縦部分を貫通させて取付けられる貫通孔が設けられる位置決金具と、
位置決金具の先端に取付けられ、枠組足場の横架材に係止されるフックと、
位置決金具及びフックが取付けられた側の枠組足場用手摺枠の縦部分内部に下端から位置決金具までの長さの２倍以上の長さの補強材が挿入される、
を備えることを特徴とする枠組足場用手摺枠。
【請求項４】
両方の縦部分と、両方の縦部分間に位置される横部分とからなり、枠組足場に取付けられる枠組足場用手摺枠の一方の縦部分には、基部に縦部分を貫通させて取付けられる貫通孔が設けられ先端には湾曲部を有する位置決金具と、
位置決金具の先端に取付けられ、枠組足場の横架材に係止されるフックとを有し、
枠組足場用手摺枠の他方の縦部分には、基部を貫通させて取付けられる貫通孔が設けられ先端には湾曲部を有し、湾曲部で枠組足場の横架材に係止する位置決金具と、
を備えることを特徴とする枠組足場用手摺枠。
【請求項５】
両方の縦部分と縦部分間に位置される横部分を組み合わせ、枠組足場に取付けられる枠組足場用手摺枠の縦部分は、位置決金具の基部に設けられた貫通孔を貫通させて取付けられるとともに、
位置決金具の先端に取付けられ、枠組足場の横架材に係止されるフック、
を備えることを特徴とする枠組足場用手摺枠の位置決金具。
【請求項６】
両方の縦部分と縦部分間に位置される横部分を組み合わせ、枠組足場に取付けられる枠組足場用手摺枠の一方の縦部分に、位置決金具の基部に設けられた貫通孔を貫通させて取付けられるとともに、
位置決金具の先端に取付けられ、枠組足場の横架材に係止されるフック、
を備えることを特徴とする枠組足場用手摺枠の位置決金具。
【請求項７】
両方の縦部分と縦部分間に位置される横部分を組み合わせ、枠組足場に取付けられる枠組足場用手摺枠の一方の縦部分に、基部に設けられた貫通孔を貫通させて取付けられるとともに、
先端には湾曲部を有する位置決金具と、
位置決金具の先端に取付けられ、枠組足場の横架材に係止されるフックと、
枠組足場用手摺枠の他方の縦部分には、基部を貫通させて取付けられる貫通孔が設けられ先端には湾曲部を有し、湾曲部で枠組足場の横架材に係止する位置決金具と、を備えることを特徴とする枠組足場用手摺枠の位置決金具。
【請求項８】
両方の縦部分と縦部分間に位置される横部分を組み合わせ、枠組足場に取付けられる枠組足場用手摺枠の縦部分に、基部に設けられた貫通孔を貫通させて取付けられるとともに、
先端に行くにしたがい幅狭となり、
先端と基部の間に先端に行くにしたがい幅狭となる、ボルトを貫通させて取付ける貫通孔を設けられる固定金具と、
固定金具に設けられた貫通孔内に収まるように凹んだナット取付部と、ナット取付部の両脇に設けられ固定金具の貫通孔周囲の壁に係止されるフック部とを有し、フック部は、それぞれ位置決金具及びフックの長手方向と交差する方向で位置決金具に取付けられ、かつ、相互に先端に対しずれて設けられる固定金具と、
位置決金具の先端に取付けられ、枠組足場の横架材に係止されるフックと、
を備えることを特徴とする枠組足場用手摺枠の位置決金具。
【発明の詳細な説明】
【技術分野】
【０００１】
本発明は、枠組足場用手摺枠及び枠組足場用手摺枠の位置決金具及びフックに係る。詳細には、仮設工事用の足場に使用される枠組足場用手摺枠の位置決金具及びフックに係る。
【背景技術】
【０００２】
従来仮設用足場においては、仮設工事用の足場に使用される枠組足場の手摺枠用取付金具が、パイプ状の手摺の先端に取付けて用いられ、フックが取付金具の先端に取付けられる。
特許文献１記載の位置決め用フック１０基部の基端側部材は、初めから溶接によって引掛部材形鋼材５ａに固定されていた。そして、フックが一体的に形成されていた。
そのため、フック片の交換が困難である。
【０００３】
そこで、特許文献２〜４記載発明では、これら特許文献の記載によると「フック片５１ａ」は、「基端側部材５０」に幅方向に「挟持片５０ｂ、５０ｃ」に挟まれて「リベット５２」で固定していた。「一対の挟持片（５０ｂ），（５０ｃ）」を備えてなり、これら「挟持片（５０ｂ），（５０ｃ）」の間に「上記引掛部材（５１）」を挟持する、とされる。
更に、「フック片５１ａは、横架材２に引掛ける」とされる。「手摺本体４」の左右一対の「縦支柱４０ｌ、４０ｒ」にそれぞれ取付けられて、対向する「横架材２、２」に引っ掛かる左右一対の「フック５ｌ、５ｒ」をそなえるとされる。「引掛部材５１」は、「手摺本体４」の両側に設置されていた。
【０００４】
そのため特許文献２記載発明では、特許文献２の記載によると「フック片を有する引掛部材が着脱可能に装着し、変形するなどしてフック片を交換する場合には、基端側部材５０にリベット留めされた先端の引掛部材５１を交換すれば良く交換を容易とした」とされる。
すなわち、特許文献２には、「対向する上記枠体Ｂ，Ｂの上記脚柱１，１の間に配置される手摺本体４と、この手摺本体４の左右一対の縦支柱４０ｌ，４０ｒにそれぞれ取付けられて対向する上記横架材２，２に引っ掛かる左右一対のフック５ｌ，５ｒとを備える安全手摺Ａにおいて、上記各フック５ｌ，５ｒが上記縦支柱４０ｌ，４０ｒに固定される基端側部材５０と、この基端側部材５０に着脱可能に装着され上記横架材２に引っ掛かるフック片５１ａを有する引掛部材５１とからなる。」（引例文献２「要約」）、「フック片５１ａが変形した場合には、引掛部材５１のみを交換すれば良く、引掛部材５１は基端側部材５０にリベット５２で固定されていることから、縦材に溶接固定されている従来のフックと比較してフック片５１ａの交換を容易にすることが可能となる。」（引例文献２［００４６］）の記載がある。
引用文献３、４でも同様である。
【０００５】
更に、特許文献２乃至４記載発明では、これら特許文献の記載によると「補強材４６が設けられる」とされる。すなわち、「上記縦支柱４０ｌ，４０ｒは、図５に示すように、中空のパイプからなり、この縦支柱４０ｌ，４０ｒ内には補強部材４６がそれぞれ挿入される。」（特許文献２［００１８］）、「これら補強部材４６は、中空のパイプからなり、図４に示すように、下側の横つなぎ４３から上記縦支柱４０ｌ，４０ｒの略中央に亘って配置される。」（特許文献２［００２０］）との記載が特許文献２乃至４にある。
更に、特許文献２乃至４記載発明では、フック片は両方の横架材２に引掛けるものである
【先行技術文献】
【特許文献】
【０００６】
【特許文献１】特開２００６−３２８６５２号公報
【特許文献２】特開２０１２−２１９４５５号公報
【特許文献３】特開２０１２−２１９４５６号公報
【特許文献４】特開２０１２−２１９４５７号公報
【発明の概要】
【発明が解決しようとする課題】
【０００７】
しかしながら、特許文献２乃至４記載発明では、「フック５が縦支柱５０ｌ，５０ｒに溶接固定される基端側部材５０と、この基端側部材５０に着脱可能に装着される引掛部材５１とからなり、この引掛部材５１に横架材２に引っ掛かるフック片５１ａが形成される。」（特許文献２［００４５］）とされるように、引用文献２乃至４記載発明では、縦支柱５０ｌ，５０ｒには基端側部材５０は溶接等で固定されていた。そのため、従来の位置決金具のついていない枠組足場用手摺枠の縦支柱に、基端側部材５０ごと位置決金具を取付けることはできない課題を有した。
更に、特許文献２乃至４記載発明では、補強材４６が設けられるが、「下側の横つなぎ４３から上記縦支柱４０ｌ，４０ｒの略中央に亘って配置される。」ものであり、縦支柱の下端から設けられるものではないため、補強効果は限定されたものである課題を有した。
更に、特許文献２乃至４記載発明では、フック片は両方の横架材２に引掛けるものであるため仮設足場での作業性に劣る課題を有した。
【０００８】
本発明の目的は、
既に流通されている枠組足場用手摺枠の位置決金具にフックと固定金具を後から取付けることができるようにすることにある。
【課題を解決するための手段】
【０００９】
本発明に係る枠組足場用手摺枠は、
両方の縦部分と、両方の縦部分間に位置される横部分とからなり、枠組足場に取付けられる枠組足場用手摺枠の縦部分には、基部に縦部分を貫通させて取付けられる貫通孔が設けられる位置決金具と、
位置決金具の先端に取付けられ、枠組足場の横架材に係止されるフックと、
を備える。
【００１０】
あるいは、
本発明に係る枠組足場用手摺枠は、
両方の縦部分分と、両方の縦部分分間に位置される横部分とからなり、枠組足場に取付けられる枠組足場用手摺枠の一方の縦部分には、基部に縦部分を貫通させて取付けられる貫通孔が設けられる位置決金具と、
位置決金具の先端に取付けられ、枠組足場の横架材に係止されるフックと、
を備える。
【００１１】
あるいは、
本発明に係る枠組足場用手摺枠は、
両方の縦部分と、両方の縦部分間に位置される横部分とからなり、枠組足場に取付けられる枠組足場用手摺枠の一方の縦部分には、基部に縦部分を貫通させて取付けられる貫通孔が設けられる位置決金具と、
位置決金具の先端に取付けられ、枠組足場の横架材に係止されるフックと、
位置決金具及びフックが取付けられた側の枠組足場用手摺枠の縦部分内部に下端から位置決金具までの長さの２倍以上の長さの補強材が挿入される。
【００１２】
あるいは、
本発明に係る枠組足場用手摺枠は、
両方の縦部分と、両方の縦部分間に位置される横部分とからなり、枠組足場に取付けられる枠組足場用手摺枠の一方の縦部分には、基部に縦部分を貫通させて取付けられる貫通孔が設けられ先端には湾曲部を有する位置決金具と、
位置決金具の先端に取付けられ、枠組足場の横架材に係止されるフックとを有し、
枠組足場用手摺枠の他方の縦部分には、基部を貫通させて取付けられる貫通孔が設けられ先端には湾曲部を有し、湾曲部で枠組足場の横架材に係止する位置決金具と、
を備える。
【００１３】
あるいは、
本発明に係る枠組足場用手摺枠の位置決金具は、
両方の縦部分と縦部分間に位置される横部分を組み合わせ、枠組足場に取付けられる枠組足場用手摺枠の縦部分に、位置決金具の基部に設けられた貫通孔を貫通させて取付けられるとともに、
位置決金具の先端に取付けられ、枠組足場の横架材に係止されるフック、
を備える。
【００１４】
あるいは、
本発明に係る枠組足場用手摺枠の位置決金具は、
両方の縦部分と縦部分間に位置される横部分を組み合わせ、枠組足場に取付けられる枠組足場用手摺枠の一方の縦部分に、位置決金具の基部に設けられた貫通孔を貫通させて取付けられるとともに、
位置決金具の先端に取付けられ、枠組足場の横架材に係止されるフック、
を備える。
【００１５】
あるいは、
本発明に係る枠組足場用手摺枠の位置決金具は、
両方の縦部分と縦部分間に位置される横部分を組み合わせ、枠組足場に取付けられる枠組足場用手摺枠の一方の縦部分に、基部に設けられた貫通孔を貫通させて取付けられるとともに、
先端には湾曲部を有する位置決金具と、
位置決金具の先端に取付けられ、枠組足場の横架材に係止されるフックと、
枠組足場用手摺枠の他方の縦部分には、基部を貫通させて取付けられる貫通孔が設けられ先端には湾曲部を有し、湾曲部で枠組足場の横架材に係止する位置決金具と、を備える。
【００１６】
あるいは、
本発明に係る枠組足場用手摺枠の位置決金具は、
両方の縦部分と縦部分間に位置される横部分を組み合わせ、枠組足場に取付けられる枠組足場用手摺枠の縦部分に、基部に設けられた貫通孔を貫通させて取付けられるとともに、
先端に行くにしたがい幅狭となり、
先端と基部の間に先端に行くにしたがい幅狭となる、ボルトを貫通させて取付ける貫通孔を設けられる固定金具と、
固定金具に設けられた貫通孔内に収まるように凹んだナット取付部と、ナット取付部の両脇に設けられ固定金具の貫通孔周囲の壁に係止されるフック部とを有し、フック部は、それぞれ位置決金具及びフックの長手方向と交差する方向で位置決金具に取付けられ、かつ、相互に先端に対しずれて設けられる固定金具と、
位置決金具の先端に取付けられ、枠組足場の横架材に係止されるフックと、
を備える。
【発明の効果】
【００１７】
本発明によれば、後付けでフックと固定金具を取付けることができる。
従来の枠組足場用手摺枠は、手摺枠の内側すなわち足場側への作業員の落下防止を目的としていたが、本発明では、作業員の手摺枠外側への落下を防止することができる。
既に流通されている枠組足場用手摺枠に取付けられる位置決金具にフックと固定金具を後から取付けることができるようにすることにある。
【図面の簡単な説明】
【００１８】
【図１】この発明の実施の形態に係る実施例の枠組足場用手摺枠及び枠組足場用手摺枠の位置決金具の使用状態の正面図である。
【図２】この発明の実施の形態に係る実施例の枠組足場用手摺枠の位置決金具の平面斜視図である。
【図３】この発明の実施の形態に係る実施例の枠組足場用手摺枠の位置決金具の底面斜視図である。
【図４】この発明の実施の形態に係る実施例の枠組足場用手摺枠の位置決金具の底面分解斜視図である。
【図５】この発明の実施の形態に係る実施例の枠組足場用手摺枠の位置決金具の底面図である。
【図６】この発明の実施の形態に係る実施例の枠組足場用手摺枠の位置決金具の一部拡大底面斜視図である。
【図７】この発明の実施の形態に係る実施例の枠組足場用手摺枠の位置決金具の斜視図である。
【図８】この発明の実施の形態に係る実施例の枠組足場用手摺枠の位置決金具に係るナット固定具の平面斜視図である。
【図９】この発明の実施の形態に係る実施例の枠組足場用手摺枠の位置決金具に係るナット固定具の底面斜視図である。
【図１０】この発明の実施の形態に係る実施例の枠組足場用手摺枠の取付金具の使用状態の平面図である。
【図１１】この発明の実施の形態に係る実施例の枠組足場用手摺枠の取付金具の使用状態の正面図である。
【発明を実施するための形態】
【００１９】
１１は、枠組足場用手摺枠である。枠組足場用手摺枠１１は、仮設工事用の足場に使用される枠組足場用手摺枠１１であり、垂直方向の縦部分１２と水平方向の横部分１３とからなる下方開口したコ字状からなる1本のパイプからなる。縦部分１２は下方開口したコ字状の左右の柱部分からなり、横部分１３は下方開口したコ字状からなるパイプの中間部分と、同中間部分に平行に取り付けられた２本の平行なパイプからなる。
両方の縦部分１２、１２間に２本の横部分１３、１３は横方向に位置される。縦部分１２、１２の間には、縦方向に中間支柱１４、１４が上下の横部分１３、１３間に位置される。
２１は、枠組足場の脚柱である。枠組足場用手摺枠１１は、枠組足場の脚柱２１、２１間に取付けられる。２２は、枠組足場の横架材である。
【００２０】
３１は、手摺枠用の位置決金具である。４１は手摺枠用の位置決金具３１に取付けられるフックである。
位置決金具３１の基部には略縦部分１２の外形からなる貫通孔３３が設けられる。貫通孔３３には、枠組足場用手摺枠１１の縦部分１２を貫通させて取付ける。位置決金具３１はパイプからなる手摺枠１１の縦部分１２に貫通して取付けられる。
位置決金具３１は、基部から先端側に行くにしたがい、先端ほど細くなっている。位置決金具３１の基部から先端にかけては、重量軽減用の貫通孔３５、３６が設けられる。
【００２１】
手摺枠１１の両方の縦部分１２のうち、一方の縦部分１２にフック４１を先端に取付けた状態で、位置決金具３１の基部で、貫通孔３３を貫通させて取付ける。他方の縦部分１２には、フック４１を取付けないで、位置決金具３１の基部で、貫通孔３３を貫通させて取付ける。
位置決金具３１の先端は、フック４１を取り外した状態でも半湾曲状からなる湾曲部３４を有する。フック４１を外して、湾曲部３４で、枠組足場の脚柱２１の他方の横架材２２に当接載置する。湾曲部３４は、湾曲状からなるため横架材２２に嵌合しやすくなる。
すなわち、位置決金具３１は、フック４１を取付けて横架材２２に係止する使用方法と、フック４１を取り外して湾曲部で枠組足場の脚柱２１の横架材２２に当接して溶接する２通りの使用方法が可能となる。
【００２２】
フック４１は、図１図中右側の一方の位置決金具３１に取付けられる。図１図中左側の他方の位置決金具３１は、先端にフック４１を取付けることなく予め足場取付用の横架材２２である横パイプに係止される。
【００２３】
フック４１は、図４等に図示されるように、基部４３と先端部４４を有する。基部４３は断面Ｌ字型からなる。フック４１の位置決金具３１の側面及び上面に沿って取付けられる位置決金具３１側の基部４３側は幅広で、横架材２２に係止される湾曲部４２が設けられる先端部は作業性上細くなっている。
先端の湾曲部４２はフック４１の湾曲部３４と併せた湾曲状を形成する。先端の湾曲部４２は、横架材２２に係止しやすくするため細く先端が下方に湾曲してなり、位置決金具３１の先端に取付けられる。
手摺枠用の位置決金具３１は、枠組足場の脚柱２１の横架材２２にフック４１が係止されることで連結される。
フック４１は、ボルト５１とナット５２により、位置決金具３１に取り外し可能になっている。
【００２４】
６１は、固定金具である。固定金具６１は、ナット５２が溶接されている。
固定金具６１は、中央部には、位置決金具３１に設けられた貫通孔３５に収まるように凹んだナット取付部６２が設けられる。ナット取付部６２の両脇には、位置決金具３１の貫通孔３５周囲の壁に係止されるフック部６３、フック部６４とを有し、取付しやすくしている。
固定金具６１は、貫通孔３５の一方の開口部に収納された状態では、フック部６３、フック部６４は、それぞれ位置決金具３１及びフック４１の長手方向に対する横方向、すなわち長手方向と交差する方向で位置決金具３１に取付けられる。かつ、フック部６３、フック部６４は、相互に先端に対しずれて設けられる。位置がずれることで、フック部６３、フック部６４は、全体としてナット５２を挟んだ対象位置に位置することとなり、固定金具６１の貫通孔３５への取付けが安定する。
図４に図示される、４５、４６は、位置決め用突起である。位置決め用突起４５、４６は、基部４３の裏面に突状に設けられる。位置決め用突起４５、４６を、貫通孔３５、３６にそれぞれはめ込んで位置だしを行う。
フック４１は、取付ボルトであるボルト５１により、固定金具６１のナット５２に取り付けることにより固定する。
【００２５】
図１乃至図９に図示される実施例では、フック部６３、フック部６４は、位置決金具３１の貫通孔３５周囲の横方向あるいは幅方向に設けられた壁３７に係止してナット５２、固定金具６１を支持する。
固定金具６１をフック４１の長手方向に交差する横方向でフック部６３、フック部６４で支持するので、ずれ防止にもなり強度に優れる。
【００２６】
図６に図示されるように、フック部６３、フック部６４のフックの位置よりもナット５２のナットの位置が奥側にあるため、フック４１と固定金具６１は、ボルト５１を用いて固定するが、ボルト５１が位置決定金具３１よりも突出しないようになっている。
【００２７】
１５は補強材である。補強材１５は、金属製パイプからなり、フック４１が取付けられた側の金属製パイプからなる枠組足場用手摺枠１１の縦部分１２内部に下端部から位置決金具３１までの長さの２倍以上の長さの補強材１５が挿入される。
図１に図示されるように、補強材１５が取付けられていると、脚柱２１の横架材２２に係止され応力を受ける縦部分の応力分散上有効である。
枠組足場の脚柱２１の横架材位置決金具３１にフック４１が係止されたときの補強が十分になされる。
【００２８】
枠組足場用手摺枠１１は連続して左右に取付けるので、隣の枠組足場用手摺枠フック４１が干渉しないようにした。
枠組足場の脚柱２１の隣接する、位置決金具３１が係止され、あるいは位置決金具３１の位置決金具３１先端が係止される横架材２２間には、足場板が架け渡される。足場板の外側側面に手摺枠１１が位置することになる。
【００２９】
図１０、図１１において、７１は取付け金具である。
基部には、手摺枠１１の縦部分１２であるパイプを貫通する。枠組足場の脚柱２１である縦パイプを開口部７３に挿入し、係止ピン７２で、開口部を塞いで固定する。
８１は、突当金具であり、手摺枠１１の縦部分１２の上部に取付けられる。
【符号の説明】
【００３０】
１１  枠組足場用手摺枠
１２  縦部分
１３  横部分
２１  枠組足場の脚柱
２２  枠組足場の横架材
３１  位置決金具
３３  貫通孔
３４  湾曲部
４１  フック
４２  湾曲部
【図１】
2015151772.tif 000003
【図２】
2015151772.tif 000004
【図３】
2015151772.tif 000005
【図４】
2015151772.tif 000006
【図５】
2015151772.tif 000007
【図６】
2015151772.tif 000008
【図７】
2015151772.tif 000009
【図８】
2015151772.tif 000010
【図９】
2015151772.tif 000011
【図１０】
2015151772.tif 000012
【図１１】
2015151772.tif 000013